(57)【特許請求の範囲】
【請求項１】
光導波路（２４，２４′）のためのプラグインコネクタであって、
前記プラグインコネクタ（１）が、プラグインコネクタハウジング（４）を有しており
前記プラグインコネクタ（１）はさらに２つのフェルールハウジング（３３，３３′）を保持するための保持要素（３）を有しており、
前記フェルールハウジング（３３，３３′）の各々は、それぞれ１つのフェルール（２１，２１′）をその中に埋込まれた光導波路（２４，２４′）と共に収容するために設けられており、
前記保持要素（３）は、一方では、第１のバネ要素（６）によって弾性的に前記プラグインコネクタハウジング（４）に接続され、さらに、
前記保持要素（３）は、２つの平行なアーム（３４，３４′）を有しており、該アーム（３４，３４′）と前記第１のバネ要素（６）とを用いることにより、前記保持要素（３）は、他方でベアリングジャーナル（５６，５６′）周りで、所定の角度範囲内でバネ負荷されて回転可能に、かつ、前記フェルール（２１，２１′）に対して軸方向で第１のスライディング距離だけバネ負荷されてスライド可能となるように、前記プラグインコネクタハウジング（４）に保持されている、プラグインコネクタにおいて、
前記プラグインコネクタハウジング（４）が２つのベアリングジャーナル（５６，５６′）を有しており、
前記アーム（３４，３４′）は、それぞれ１つの長孔部（３５，３５′）を備え、該長孔部内に前記ベアリングジャーナル（５６，５６′）が係合し、それによって、前記保持要素（３）が所定の角度範囲内でバネ負荷されて回転可能に、かつ、軸方向でスライド可能に構成されている、ことを特徴とするプラグインコネクタ。
【請求項２】
前記プラグインコネクタハウジング（４）は複数体で構成され、囲繞ハウジング（４１）と該囲繞ハウジング内に挿入される挿入部（５）とを含み、前記２つのベアリングジャーナル（５６，５６′）が前記挿入部（５）の構成要素である、請求項１記載のプラグインコネクタ。
【請求項３】
前記第１のバネ要素（６）はコイルバネ又はつる巻きバネの形態で構成されている、請求項１記載のプラグインコネクタ。
【請求項４】
前記保持要素（３）は、当該プラグインコネクタ（１）内でのそのセンタリングのために、少なくとも１つの側方板バネ（３０１，３０１′）を有している、請求項１記載のプラグインコネクタ。
【請求項５】
前記保持要素（３）は、弾性的に変形可能な材料からなり、前記少なくとも１つの側方板バネ（３０１，３０１′）は、前記保持要素（３）と共に一体的に構成されている、請求項４記載のプラグインコネクタ。
【請求項６】
前記少なくとも１つの側方板バネ（３０１，３０１′）は、前記保持要素（３）の側方で対向するように配置されている２つの板バネである、請求項４または５記載のプラグインコネクタ。
【請求項７】
前記各フェルール（２１，２１′）は、そのフェルールハウジング（３３，３３′）内で複数のさらなるバネによってバネ負荷され、第２のスライディング距離だけ軸線方向にスライド可能に保持されている、請求項１記載のプラグインコネクタ。
【請求項８】
前記第２のスライディング距離は、前記第１のスライディング距離よりも短い、請求項７記載のプラグインコネクタ。
【請求項９】
前記複数のさらなるバネのバネ定数の和の値は、第１のバネ要素（６）のバネ定数の値よりも小さい、請求項７記載のプラグインコネクタ。
【発明の詳細な説明】
【技術分野】
【０００１】
本発明は、特に、オプトエレクトロニクス変換器を具備した対抗プラグとのプラグイン接続とコンタクト形成のための、光導波路用ダブルプラグインコネクタに関している。
【背景技術】
【０００２】
そのようなプラグインコネクタでは、一方では、対抗プラグにおいて、オプトエレクトロニクス変換器に差し込まれる光導波路の最低推奨圧力の実現が必要とされ、他方では、異なる寸法の対抗プラグのもとでも確実な差し込み位置を達成することが求められている。
【０００３】
従来技術では、対抗プラグをプリント基板上に直接固定することが公知である。
【０００４】
国際公開第２００４  ０２７４８２号パンフレットにおいては、そのようなプリント基板上に固定される対抗プラグの寸法が特別な解決手段となっていることが述べられている。しかしながら光学的な接続に対しては、標準化されている光学的なプラグインコネクタ（例えばタイプＬＣ又はＬＸ５など）は何も用いられていない。この文献では、それに対応して次のような接続装置が提案されている。すなわち、様々な標準化された光学的プラグインコネクタに対して調整がきき、フレキシブルに適合できる接続装置である。この接続装置は、各プラグインコネクタに依存しないベース部分を含み、このベース部分は、回路基板の表面に固定され、オプトエレクトロニクス素子を取り囲んでいる。さらにこの接続装置は、各プラグインコネクタシステムに調整された連結部分を含み、該連結部分は外側に向けて前記ベース部分に当接し、当該ベース部分に固定されている。またこのベース部分は、標準化されたファイバーオプティクプラグインコネクタの差込みのための差込み開口部も有している。
【０００５】
このような接続装置の欠点は、プラグインコネクタシステム毎に、専用の連結システムを準備し、ベース部分に設ける必要があることである。さらにこの問題は、相互に異なる寸法を有する対抗プラグが既に市場に存在していることからも残り続ける。そのため、ユーザーは、相応の互換問題にも直面しなければならない。
【０００６】
発明の課題
それ故本発明は次のような課題を基礎としている。すなわち、一方では、その寸法が少なくとも１つの通常規格に相応し、他方では、その寸法が前記規格からずれていても利用できる対抗プラグを具備した、低コストで製造が可能なプラグインコネクタを提供することである。特にこのプラグインコネクタでは、現在の市販されている次のような対抗プラグ、すなわちオプトエレクトロニクス変換器を具備し、プリント基盤上に直接固定可能である対抗プラグが利用可能である必要がある。
【０００７】
この課題は本発明によるプラグインコネクタによって解決される。このプラグインコネクタは、２つのベアリングジャーナルを備えたプラグインコネクタハウジングを有しており、さらにこのプラグインコネクタは、所属する２つのフェルールハウジングを保持するための保持要素を有している。この場合前記フェルールハウジングの各々は、その中に埋込まれた光導波路と共にフェルールを収容するために設けられている。ここでの前記保持要素は、一方では、第１のバネ要素を介して弾性的に、プラグインコネクタハウジングと接続され、それぞれ１つの長孔を備えた２つの平行なアームを有している。また前記保持要素は、他方では、このアームによって挿入部のベアリングジャーナル周りで所定の角度範囲内でバネ負荷されて回転可能に、かつフェルールに対して軸方向で第１のスライディング距離だけバネ負荷されてスライド可能となるように前記プラグインコネクタハウジングに保持されている。
【０００８】
本発明の別の有利な実施例は従属請求項２〜９に記載されている。
【０００９】
本発明は、光導波路のための次のようなプラグインコネクタである。すなわち、異なる対抗プラグの幾何学的なずれが、特別な対抗策なしで自動的に補償されるプラグインコネクタである。特にこの場合、光導波路に対する軸方向の差込み深さが異なるだけでなく、それに対して直角方向に存在する対抗プラグのずれも自動的に補償されるのである。
【００１０】
そのような対抗プラグは有利には、スモールファクタープラグイン（ＳＦＰ）トランシーバーである。このプラグイントランシーバーは有利には係止可能に金属かご（ケージ）に挿入され、この金属かごは、電気的なコンタクトを含むベース面を備え、プリント基板上に配設されている。前記ＳＦＰトランシーバーは、一方では光学的な端子とオプトエレクトロニクス変換器を具備し、他方では当該金属かごの後方部分にあるカードエッジ型プラグインコネクタ（メザニン）とコンタクトし、それを介してプリント基板と導電的に接続される電気的な端子を有している。前記金属かごの開口部は、プリント基板を取り囲む装置ハウジングのハウジング壁部と接続している。この箇所においては、当該ハウジング壁部の別の側から移行ハウジング若しくはねじ込みハウジングに接続する開口部を有している。さらにこの対抗プラグは、本発明によるプラグインコネクタとコンタクトされる。
【００１１】
このようなコンタクト過程においては、フェルール内に保持される、プラグインコネクタの光導波路が、５Ｎの推奨圧力でもって、対抗プラグの光学的な端子に圧入されるのがよく、それによって光信号の理想的な伝送が保証される。
【００１２】
この場合有利な点は、保持要素が第１のバネ要素によってバネ負荷されて、第１のスライディング距離だけスライド可能なことである。なぜなら、当該プラグインコネクタがそれによって水平となり、フェルール軸線方向において当該対抗プラグの寸法に整合するようになるからである。
【００１３】
この場合有利にはさらに、第１のバネ要素が渦巻きバネである。なぜならこの渦巻きバネは、第１のスライディング距離に亘ってほぼ一定の１５Ｎの応力を保証しているからである。しかもさらに有利には、それに対して、市販の対抗プラグの寸法を考慮して、第１のスライディング距離は２．５ｍｍ〜３ｍｍの範囲が有利であることがわかっている。
【００１４】
さらに有利には、前記保持要素は、挿入部のベアリングジャーナルの周りを、所定の角度範囲内でバネ負荷されて回転可能であり、特にこの保持要素はここではそのアームによって２つのベアリングジャーナルに回転可能に支承されている。なぜならそれによって当該のプラグインコネクタがフェルール軸線方向において水平方向のみでなく、垂直方向においても、つまりフェルール軸に対する直角方向においても、対抗プラグの寸法に整合されるからである。それにより、対抗プラグの垂直方向での幾何学的なずれについても良好に補償されるようになる。それに対して特に市販の対抗プラグの寸法を考慮すると、フェルール軸線に対して垂直方向で約０．８ｍｍの対抗プラグのずれが補償できることがわかっている。それに対して特に有利には、保持要素が側方板バネを具備する。なぜならそれによって基本状態においても垂直方向においても規格通りの初期位置が確定されるからである。その場合、保持要素の垂直方向の変位のもとで生じる光導波路の最小の方向変化は、フェルールハウジング内に存在するフェルール空き空間によって補償される。
【００１５】
前記保持要素の水平方向での並進運動と垂直方向での回転運動をできるだけ低コストな手段を用いて実現するために、特に有利には、保持要素のアーム内に長孔部が配置され、これがフェルール軸線方向に配向される。この長孔部はベアリングジャーナルを取り囲んでいるため、保持要素がフェルール軸線方向でスライド可能となり、それに対して直角方向では、ベアリングジャーナルにおいて回転可能に固定される。
【００１６】
この場合特に有利には、プラグインコネクタの２つのフェルールの各々がそれぞれさらなるバネを用いて、そのフェルールハウジング内でバネ負荷されて、第２のスライディング距離だけ軸線方向にスライド可能に支承される。さらに有利には、２つのさらなるバネのバネ定数の総和が第１のバネ要素のバネ定数よりも小さい。なぜなら、完全に内部に挿入されるフェルールと共にプラグインコネクタのフェルールハウジングが対向プラグに対して押し込まれて初めて、第１のバネ要素のバネ機構が現われるからである。このことは特に有利な利点となる。なぜならそれによって、対向プラグの光学的な端子に対するフェルールの所定の約５Ｎの押圧力が保証されるからである。特にこのことは、フェルールが完全にフェルールハウジング内にスライド可能である場合になりたつ。
【００１７】
２つのさらなるバネは（この２つのバネによってフェルールはフェルールハウジング内でバネ負荷されて支承されている）、第２のスライディング距離を介して、１．３ｍｍまでの長さの違いを補償できる。前記保持要素はそのアーム内に相応の長孔部を有し、それがベアリングジャーナルを取り囲み、さらにフェルールに対して軸方向にスライディング可能なようにハウジング内で支承されているため、保持要素を弾性的にハウジングに接続させている第１のバネ要素は、第１のスライディング距離を介して、より大きな長さの違い、例えば２．８ｍｍの長さの違いを補償できるようになる。総体的にこのような構成によれば、全体で約４ｍｍほどの差分を有する差込み深さが補償できるようになる。
【００１８】
スライドハウジングのスライディング距離の短縮のもとで、プラグインコネクタハウジング内の光導波路の避けられない湾曲を緩和するためには、プラグインコネクタハウジングの所定の最小長さが必要となる。
【００１９】
特に有利には、当該プラグインコネクタハウジングが複数体で構成され、囲繞ハウジングとその中に挿入される挿入部とを含む。なぜならそれによって、汎用的なプラグインコネクタハウジングが囲繞ハウジングとして利用できるようになるからである。このことは製造コストの節約につながる。
【００２０】
さらに有利には、前記保持要素が弾性的に変形可能な材料からなる。なぜなら、長孔部を備えたその平行なアームが当該プラグインコネクタの取付けの際に、ハウジングの丸みをつけられたベアリングジャーナル上をスライドし、そこに係止されるからである。これに対して有利には、前記ベアリングジャーナルが、保持要素の矩形形態の２つの平行な外壁部に配置され、相応の滑面勾配を有する。
【００２１】
前記保持要素が弾性的に変形可能な材料からなっていれば、製造コストも低くなる。なぜならそれによって、側方板バネも当該保持要素と一緒に一体的に形成することが可能になるからである。
【図面の簡単な説明】
【００２２】
【図１ａ】本発明によるプラグインコネクタの破断図
【図１ｂ】保持要素とバネ要素と挿入部に関連する箇所の別の角度から見た破断図
【図２】保持要素を備えた挿入部の側面図
【図３】保持要素を備えた挿入部の平面図
【実施例】
【００２３】
図１ａには、光導波路２４，２４′のためのプラグインコネクタ１がその個々の部材と共に破断図で示されている。このプラグインコネクタ１は、上方部材３１と下方部材３２を備えた保持要素３と、それに所属する２つのフェルールハウジング３３，３３′とを含んでいる。前記フェルールハウジング３３，３３′は、それぞれ１つのフェルール２１，２１′をその中に埋込まれた光導波路２４，２４′と共に収容するために設けられている。前記光導波路２４，２４′は、引張り負荷緩和素子２２及び外套部２３と共に光導波路ケーブル２の構成部材である。
【００２４】
さらに前記プラグインコネクタ１には、プラグインコネクタハウジング４が所属しており、このプラグインコネクタハウジング４は、囲繞ハウジング４１と亜鉛ダイキャスティング手法によって製造される挿入部５とを含んでいる。この挿入部５は、保持部５０１とクランプ要素５１とを含んでいる。
【００２５】
前記クランプ要素５１は、１つのブロック５２と、それにねじ込み可能なクランプ部５３とを含んでいる。前記ブロック５２とクランプ部５３は、それぞれ１つの突出したクランププレート５４，５５を有しており、これらのプレート５４，５５は、第１ネジ５３１のねじ込みのもとでこれらが相互に圧着され、当該光導波路ケーブル２内に存在する引張り負荷軽減要素２２が光導波路ケーブル２の引張り負荷を軽減して相互間でクランプ状態が形成されるようにするために設けられている。挿入部５は、プラグインコネクタハウジング４に所属する囲繞ハウジング４１内に挿入可能である。さらにこの囲繞ハウジング４１は、複数体のケーブルねじ込み要素４２を含んでおり、これらのねじ込み要素４２によって、前記囲繞ハウジング４１内に挿入される光導波路ケーブル２のガイドとねじ込みが可能になる。
【００２６】
図１ｂにおいては、弾性的に変形可能な材料からなる前記保持要素３が、第１のバネ要素６を介して挿入部５とどのように接続可能になるのかが特に良好に識別できる。
【００２７】
挿入部５の保持部５０１は、矩形状成形部５８を有しており、この矩形状成形部５８は、内部中空空間を取り囲んでいる。前記矩形状成形部５８には、さらに案内溝５９１を備えた円筒状成形部５９が形成されている。
【００２８】
前記保持要素３はフラットな案内突出部３７を有しており、この突出部３７は、２つのアーム３４，３４′の間の中央に配置されている。
【００２９】
第１のバネ要素６（これは渦巻きバネの形態で形成されている）は、プラグインコネクタの取付けの際に、前記円筒状成形部５９上をスライドしてそこに保持される。前記保持要素３のアーム３４，３４′は、ベアリングジャーナル５６，５６′上をスライドする。この目的のために、これらのベアリングジャーナル５６，５６′は、図には詳細に示されていないが滑面勾配を有している。さらに前記アーム３４，３４′は、その長孔部３５，３５′によって前記ベアリングジャーナル５６，５６′にて係止される。それと同時にフラットな案内突出部３７が渦巻き状の第１のバネ要素６内に挿入され、相応のバネ負荷のもとで円筒状成形部５９の案内溝５９１に差込まれる。
【００３０】
図２には、当該プラグインコネクタ１の一部が、座標系のＸ軸に沿った方向で見た側面図で示されている。この図面では、保持要素３並びにそれに所属するアーム３４が長孔部３５と共に描写されている。この長孔部３５は、挿入部５のベアリングジャーナル５６を取り囲み、保持要素３のＺ軸方向の並進運動と、Ｘ軸を中心としたＹ軸方向の保持要素３の僅かな回転運動とを同時に可能にしている。前記保持要素３のアームに当接する側壁のさらなる移動経過はここでは描写されていない。そのため、内部構造は垣間見得ているだけである。挿入部５の２つの相対向する側方には側方板バネ３０１，３０１′の一端が、固定されて成形されている。この板バネ３０１，３０１′は保持要素３とフェルール２１，２１′とを、取付けられたプラグインコネクタ１の基本状態において規格通りにセンタリングしている。さらにこの保持要素３は、フェルールハウジング３３毎に鼻梁部３６を有しており、この鼻梁部３６は、対抗プラグ内への係止を回避するために、それぞれのフェルールハウジング３３の係止装置３９を下方に押し付ける。
【００３１】
図３には、座標系のＹ軸方向に沿って見た場合の、プラグインコネクタ１の一部の平面図が上方部３１なしで示されている。その際、引張り負荷軽減機構は特に有利に見なされる。２つのクランププレート５４，５５は、光導波路ケーブル２の引張り負荷軽減要素２２を相互に挟み込む。
【００３２】
取付けの際に、前記光導波路ケーブル２は、そのフェルールと共にまず最初にケーブルのねじ込みと、囲繞ハウジングとによって検査される。その後でフェルールハウジング３３，３３′は、下方部材３２内へ挿入され、そこで係止される。さらに上方部材３１は下方部材に３２にセットされ、係止手段を用いてそこに係止される。第１のバネ要素６は、円筒状成形部５９上をスライドする。さらに前記保持要素３のフラットな案内突出部３７がバネ要素６内へ挿入され、相応のバネ負荷のもとで案内溝５９１にスライドされる。同時に保持要素３のアーム３４，３４′は、矩形状成形部５８の平行な側壁上と、前記矩形状成形部５８の相対向する壁部に配置されたベアリングジャーナル５６の滑面勾配上をスライドする。さらに前記アーム３４，３４′はその長孔部３５，３５′を介した前記ベアリングジャーナル５６において係止する。
【００３３】
前記光導波路ケーブル２の引張り負荷軽減要素２２は、クランプ要素５１のクランププレート５４，５５間に配置されている。第１のネジ５３１を用いて、クランプ部５３がブロック５２に対してねじ込まれる。それにより、前記引張り負荷軽減要素２２は、クランププレート５４，５５の間に挟み込まれる。さらにこのクランプ要素は、挿入部５の矩形状成形部５８の内部中空空間内に挿入され、これによって光導波路ケーブル２の引張り負荷軽減が保証される。
【００３４】
さらにこの挿入部５と保持要素３とからなる装置は、囲繞ハウジング４１内に挿入され、そこで第２のネジ４１１を用いて固定される。
【００３５】
前記光導波路２は、ケーブルねじ込み要素４２を用いて前記囲繞ハウジング４１に固定される。
【符号の説明】
【００３６】
１      プラグインコネクタ
２      光導波路
２１，２１′  フェルール
２２    引張り負荷軽減要素
２３    外套部
２４，２４′  光導波路
３      保持要素
３０１，３０１′  板バネ
３１    上方部材
３２    下方部材
３３，３３′  フェルールハウジング
３４，３４′  アーム
３５，３５′  長孔部
３６，３６′  鼻梁部
３７      案内突出部
３９，３９′  係止装置
４      プラグインコネクタハウジング
４１    囲繞ハウジング
４１１  第２のネジ
４２    ケーブルねじ込み要素
５      挿入部
５０１  保持部
５１    クランプ要素
５２    ブロック
５３    クランプ部
５３１  第１のネジ
５４，５５  クランププレート
５６，５６′  ベアリングジャーナル
５８    矩形状成形部
５９    円筒状成形部
５９１  案内溝
６      第１のバネ要素
【図１ａ】
0005595527.tif 000002
【図１ｂ】
0005595527.tif 000003
【図２】
0005595527.tif 000004
【図３】
0005595527.tif 000005